(57)【要約】【課題】遊戯台の運搬を効率的に行うことができる緩衝材を提供すること。【解決手段】この緩衝材１ａは第一部材１０及び第二部材２０で構成され、第一部材１０の壁部の内側には段差部１０２ａ〜１０５ａが設けられており、当該段差部１０２ａ〜１０５ａと第二部材２０の壁部の内側に設けられる突起部２０６、２０７との間で遊戯台を保持することが可能であり、第一部材１０の壁部の上端面にはその根元部分よりも先端部分が広がっている嵌合用凸部が形成されると共に、当該嵌合用凸部に対応するように第二部材２０の上端面にはその入口部分よりも底部分が広がっている嵌合用凹部が形成されており、嵌合用凸部と嵌合用凹部とが嵌り合って第一部材１０と第二部材２０とが結合される【選択図】  図３
2004276917.tif 000002
【特許請求の範囲】
【請求項１】
運送手段を用いて遊戯台を運搬する際に用いられる樹脂成形材であって、当該樹脂成形材は、矩形の底部と当該底部の各辺に立設される壁部とからなる箱状の第一部材と、矩形の底部と当該底部の各辺に立設される壁部とからなる箱状の第二部材とで構成されており、
前記第一部材の壁部の内側には段差部が設けられており、当該段差部と前記第二部材の壁部の内側に設けられる突起部との間で前記遊戯台を保持することが可能であり、
前記第一部材又は前記第二部材の壁部の上端面にはその根元部分よりも先端部分が広がっている嵌合用凸部が形成されると共に、当該嵌合用凸部に対応するように前記第二部材又は前記第一部材の壁部の上端面にはその入口部分よりも底部分が広がっている嵌合用凹部が形成されており、前記嵌合用凸部と前記嵌合用凹部とが嵌り合って前記第一部材と前記第二部材とが結合される、
ことを特徴とする樹脂成形材。
【発明の詳細な説明】
【０００１】
【発明の属する技術分野】
本発明は、運送手段を用いて遊戯台を運搬する際に用いられる樹脂成形材に関するものである。
【０００２】
【従来の技術】
従来、いわゆるパチンコ台といった遊戯台を運搬する際には、その運搬の都度、運搬する遊戯台の形状に合わせて木枠を組み立てて各遊戯台が損傷しないように保護して運搬していた。尚、この従来技術はいわゆる公用発明であるから文献公知発明に係るものではない。従って、記載すべき先行技術文献はないものと出願人は認識している。
【０００３】
【発明が解決しようとする課題】
ところで、このように木枠を組み立てるのは手間がかかり、例えば大型トラックで運搬する場合には遊戯台の積み込みに数時間を要していた。
【０００４】
そこで本発明では、遊戯台の運搬を効率的に行うことができる樹脂成形材を提供することを課題とする。
【０００５】
【課題を解決するための手段】
本発明者らは、専用の緩衝材としての樹脂成形材の導入を検討した。しかしながら、遊戯台の形状はその種類ごとに異なるので、各遊戯台の形状に樹脂成形材の形状を合わせることは実質的に困難であることを見出した。本発明はこれらの知見に基づいてなされたものである。
【０００６】
本発明の樹脂成形材は、運送手段を用いて遊戯台を運搬する際に用いられる樹脂成形材であって、当該樹脂成形材は、矩形の底部と当該底部の各辺に立設される壁部とからなる箱状の第一部材と、矩形の底部と当該底部の各辺に立設される壁部とからなる箱状の第二部材とで構成されており、第一部材の壁部の内側には段差部が設けられており、当該段差部と第二部材の壁部の内側に設けられる突起部との間で遊戯台を保持することが可能であり、第一部材又は第二部材の壁部の上端面にはその根元部分よりも先端部分が広がっている嵌合用凸部が形成されると共に、当該嵌合用凸部に対応するように第二部材又は第一部材の壁部の上端面にはその入口部分よりも底部分が広がっている嵌合用凹部が形成されており、嵌合用凸部と嵌合用凹部とが嵌り合って第一部材と第二部材とが結合される、ことを特徴とする。
【０００７】
本発明の樹脂成形材によれば、箱状の第一部材及び第二部材を組み合わせて用いるので、第一部材及び第二部材の開口部同士をつき合わせて内部に空間を形成して遊戯台を保護できる。また、第一部材の段差部と第二部材の突起部との間で遊戯台を保持できるので、運搬中に遊戯台が不用意に動くことを低減できる。更に、嵌合用凸部と嵌合用凹部とが嵌り合って第一部材と第二部材とが結合されるので、第一部材と第二部材とがずれてしまうことがない。
【０００８】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【０００９】
本発明の実施形態である緩衝材（樹脂成形材）１ａを構成する第一部材１０と第二部材２０とについて図１（ａ）〜図１（ｃ）及び図２（ａ）〜図２（ｃ）を用いて説明する。まず、第一部材１０について図１（ａ）〜図１（ｃ）を用いて説明する。図１（ａ）は第一部材１０の平面図であり、図１（ｂ）は図１（ａ）のＩ−Ｉ断面図であり、図１（ｃ）は図１（ａ）のＩＩ−ＩＩ断面図である。第一部材１０は、原材料としてはポリプロピレン系の樹脂材料が用いられている。
【００１０】
第一部材１０は、底部１０１、壁部１０２〜１０５から構成されている。底部１０１は矩形であって、その各辺に壁部１０２〜１０５が立設されており、第一部１０としては箱状の部材となっている。底部１０１には窓穴１０１ａ及び窓穴１０１ｂが形成されている。
壁部１０２の内側には段差部１０２ａが、壁部１０３の内側には段差部１０３ａが、壁部１０４の内側には段差部１０４ａが、壁部１０５の内側には段差部１０５ａがそれぞれ設けられており、段差部１０２ａ〜１０５ａはそれぞれが繋がるようにほぼ同一平面状に形成されている。従って、遊戯台はこの段差部１０２ａ〜１０５ａ上に戴置される。
【００１１】
壁部１０３の内側には、壁部１０３の内側と段差部１０３ａとをえぐるように凹部１０６が設けられている。同様に壁部１０５の内側には、壁部１０５の内側と段差部１０５ａとをえぐるように凹部１０７が設けられている。従って、遊戯台を段差部１０２ａ〜１０５ａに戴置した場合には、この凹部１０６及び凹部１０７に手を入れて遊戯台を持ち上げることができる。
【００１２】
壁部１０２には切欠き部１０２ｂが、壁部１０４には切欠き部１０４ｂがそれぞれ設けられている。第一部材１０内に遊戯台を保持した場合に、この切欠き部１０２ｂ及び１０４ｂを通して遊戯台を確認することができる。
【００１３】
壁部１０３の上端面には嵌合用凸部１０３ｂ及び嵌合用凸部１０３ｃが、壁部１０５の上端面には嵌合用凸部１０５ｂ及び嵌合用凸部１０５ｃがそれぞれ形成されている。この嵌合用凸部１０３ｂ、１０３ｃ及び嵌合用凸部１０５ｂ、１０５ｃは、その根元部分よりも先端部分が広がったキノコのかさ状の断面形状をしている。この嵌合用凸部１０３ｂ、１０３ｃ及び嵌合用凸部１０５ｂ、１０５ｃは、第二部材２０に設けられる嵌合用凹部と嵌め合わされて第一部材１０及び第二部材２０を結合させる（詳細は後述する。）。
【００１４】
引き続いて、第二部材２０について図２（ａ）〜図２（ｃ）を用いて説明する。図２（ａ）は第二部材２０の平面図であり、図２（ｂ）は図２（ａ）のＩＩＩ−ＩＩＩ断面図であり、図２（ｃ）は図２（ａ）のＩＶ−ＩＶ断面図である。第二部材２０は、原材料としてはポリプロピレン系の樹脂材料が用いられている。
【００１５】
第二部材２０は、底部２０１、壁部２０２〜２０５から構成されている。底部２０１は矩形であって、その各辺に壁部２０２〜２０５が立設されており、第二部２０としては箱状の部材となっている。底部２０１には窓穴２０１ａ及び窓穴２０１ｂが形成されている。壁部２０２の内側には突起部２０６が、壁部２０３の内側には突起部２０７ががそれぞれ設けられている。図１（ａ）の第一部材１０の段差部１０２ａ〜１０５ａ上に戴置される遊戯台は、突起部２０６及び突起部２０７で押さえつけられる。
【００１６】
壁部２０２には切欠き部２０２ａが、壁部２０４には切欠き部２０４ａがそれぞれ設けられている。第二部材２０内に遊戯台を保持した場合に、この切欠き部２０２ａ及び２０４ａを通して遊戯台を確認することができる。
【００１７】
壁部２０３の上端面には嵌合用凹部２０３ａ及び嵌合用凹部２０３ｂが、壁部２０５の上端面には嵌合用凹部２０５ａ及び嵌合用凹部２０５ｂがそれぞれ形成されている。この嵌合用凹部２０３ａ、２０３ｂ及び嵌合用凹部２０５ａ、２０５ｂは、その入口部分よりも底部分が広がっている断面形状をしている。この嵌合用凹部２０３ａ、２０３ｂ及び嵌合用凹部２０５ａ、２０５ｂは、第一部材１０に設けられる嵌合用凸部と嵌め合わされて第一部材１０及び第二部材２０を結合させる（詳細は後述する。）。
【００１８】
第一部材１０及び第二部材２０を組み合わせた様子を図３に示す。図３に示すように第一部材１０及び第二部材２０を組み合わせれば、第一部材１０の段差部１０２ａ〜１０５ａに戴置した遊戯台は、第二部材２０の突起部２０６及び突起部２０７で押さえつけられて固定される。
【００１９】
第一部材１０の嵌合用凸部１０３ｂ、１０３ｃ及び嵌合用凸部１０５ｂ、１０５ｃと、第二部材２０の嵌合用凹部２０３ａ、２０３ｂ及び嵌合用凹部２０５ａ、２０５ｂとが嵌りあった様子の断面図の一例を図４に示す。図４に示すように、第一部材１０の嵌合用凸部１０３ｂは、その根元部分３０１よりも先端部分３０２が広がっている。また、第二部材２０の嵌合用凹部２０３ａは、その入口部分３０３よりも底部分３０４が広がっている。従って、嵌合用凸部１０３ｂと嵌合用凹部２０３ｂとは嵌り合うこととなる。尚、他の嵌合用凸部１０３ｃ、１０５ｂ、１０５ｃと、嵌合用凹部２０３ａ、２０５ａ、２０５ｂとにおいても同様である。本実施形態においては嵌合用凸部１０３ｂと嵌合用凹部２０３ｂ、嵌合用凸部１０３ｃと嵌合用凹部２０３ａ、嵌合用凸部１０５ｂと嵌合用凹部２０５ｂ、嵌合用凸部１０５ｃと嵌合用凹部２０５ａがそれぞれ対応している。
【００２０】
第二部材２０の変形例である第二部材２５について図５（ａ）〜図５（ｃ）を用いて説明する。図５（ａ）は第二部材２５の平面図であり、図５（ｂ）は図５（ａ）のＶ−Ｖ断面図であり、図５（ｃ）は図５（ａ）のＶＩ−ＶＩ断面図である。第二部材２５は第二部材２０と突起部２０６の部分が異なり、他の部分は第二部材２０と同様であるので説明を省略する。壁部２０２、２０４、２０５の内側には突起部２０８が、各壁部２０２、２０４、２０５に沿うように設けられている。突起部２０８の上端は切欠き部２０２ａ、２０４ａのボトム部分と同じ高さになるように形成されている。図１（ａ）の第一部材１０の段差部１０２ａ〜１０５ａ上に戴置される遊戯台は、突起部２０８及び突起部２０７で押さえつけられる。
【００２１】
この実施形態においては、箱状の第一部材１０及び第二部材２０を組み合わせて用いるので、第一部材１０及び第二部材２０の開口部同士をつき合わせて内部に空間を形成して遊戯台を保護できる。また、第一部材１０の段差部１０２ａ〜１０５ａと第二部材２０の突起部２０６、２０７との間で遊戯台を保持できるので、運搬中に遊戯台が不用意に動くことを低減できる。更に、嵌合用凸部１０３ｂ、１０３ｃ、１０５ｂ、１０５ｃと嵌合用凹部２０３ａ、２０３ｂ、２０５ａ、２０５ｂとが嵌り合って第一部材１０と第二部材２０とが結合されるので、第一部材１０と第二部材２０とがずれてしまうことがない。
【００２２】
【発明の効果】
本発明によれば、箱状の第一部材及び第二部材を組み合わせて用いるので、第一部材及び第二部材の開口部同士をつき合わせて内部に空間を形成して遊戯台を保護できる。また、第一部材の段差部と第二部材の突起部との間で遊戯台を保持できるので、運搬中に遊戯台が不用意に動くことを低減できる。更に、嵌合用凸部と嵌合用凹部とが嵌り合って第一部材と第二部材とが結合されるので、第一部材と第二部材とがずれてしまうことがない。従って本発明の目的とする、遊戯台の運搬を効率的に行うことができる樹脂成形材を提供することができた。
【図面の簡単な説明】
【図１】本発明の実施形態である第一部材を示した図である。
【図２】本発明の実施形態である第二部材を示した図である。
【図３】本発明の実施形態である緩衝材を示した図である。
【図４】図１及び図２における嵌合用凸部と嵌合用凹部とが嵌り合う様子を示した図である。
【図５】本発明の実施形態である第二部材を示した図である。
【符号の説明】
１ａ…緩衝材、１０…第一部材、２０…第二部材、１０１、２０１…底部、１０２〜１０５、２０２〜２０５…壁部、段差部…１０２ａ〜１０５ａ、突起部…２０６，２０７。
【図１】
2004276917.tif 000003
【図２】
2004276917.tif 000004
【図３】
2004276917.tif 000005
【図４】
2004276917.tif 000006
【図５】
2004276917.tif 000007